(57)【要約】【課題】縦の折れ目を生じ難く、復元性を向上できる積層剥離容器を提供する。【解決手段】積層剥離容器１は、外口部１１と有底筒状の胴部１２とを有する外層体１０と、内口部２１と胴部１２の内面に剥離可能に積層された収容部２２とを有する内層体２０と、外気導入口１３と、を備え、胴部１２は、全周に亘って交互に配置された凸リブ３０及び凹リブ３１によって形成された略円筒状の胴本体部１２ｂを有し、胴本体部１２ｂの外周面は、横断面において、凸リブ３０の外面で形成される１ｍｍ〜６ｍｍの曲率半径Ｒ１を有する円弧形状をなすＲ部３０ａと、凹リブ３１の外面で形成される１ｍｍ〜６ｍｍの曲率半径Ｒ２を有する円弧形状をなす逆Ｒ部３１ａと、が全周に亘って交互に滑らかに連なることで形成されており、胴本体部１２ｂの外周面の直径は、５０ｍｍ〜８０ｍｍである。【選択図】図１
2019177926.tif 000002
【特許請求の範囲】
【請求項１】
ブロー成形によって形成された合成樹脂製の積層剥離容器であって、
筒状の外口部と前記外口部に連なる有底筒状の胴部とを有する外層体と、
前記外口部の内側に配置された筒状の内口部と前記胴部の内面に剥離可能に積層された減容変形自在の収容部とを有する内層体と、
前記外層体と前記内層体との間に外気を導入するための外気導入口と、を備え、
前記胴部は、全周に亘って交互に配置された凸リブ及び凹リブによって形成された略円筒状の胴本体部を有し、
前記胴本体部の外周面は、横断面において、前記凸リブの外面で形成される１ｍｍ〜６ｍｍの曲率半径を有する円弧形状をなすＲ部と、前記凹リブの外面で形成される１ｍｍ〜６ｍｍの曲率半径を有する円弧形状をなす逆Ｒ部と、が全周に亘って交互に滑らかに連なることで形成されており、
前記胴本体部の外周面の直径は、５０ｍｍ〜８０ｍｍである、
積層剥離容器。
【請求項２】
前記Ｒ部の曲率半径と前記逆Ｒ部の曲率半径とは、互いに略同一である、請求項１に記載の積層剥離容器。
【請求項３】
前記凸リブ及び前記凹リブは、それぞれ、前記胴本体部の軸方向と平行に延在している、請求項１又は２に記載の積層剥離容器。
【請求項４】
前記胴本体部は、前記胴本体部の軸方向中間部に向けて徐々に縮径する括れ部を有し、
前記括れ部の縮径幅は、２ｍｍ以下である、請求項１〜３のいずれか一項に記載の積層剥離容器。
【請求項５】
前記外気導入口は、前記外口部と前記内口部とによって構成された口部に設けられている、請求項１〜４のいずれか一項に記載の積層剥離容器。
【請求項６】
前記外気導入口は、前記外口部を径方向に貫通する貫通孔である、請求項５に記載の積層剥離容器。
【請求項７】
前記胴部は、前記外口部に連なるとともに下方に向けて徐々に拡径する肩部と、前記肩部の下方に連なる前記胴本体部と、前記胴本体部の下方に連なるとともに接地部を有する底部と、を有する、請求項１〜６のいずれか一項に記載の積層剥離容器。
【請求項８】
外プリフォームと前記外プリフォームの内側に組み込まれた内プリフォームとを有するプリフォーム組立体をブロー成形して形成された、請求項１〜７のいずれか一項に記載の積層剥離容器。
【請求項９】
前記外層体及び前記内層体が、それぞれポリエチレンテレフタレート樹脂で形成されている、請求項１〜８のいずれか一項に記載の積層剥離容器。
【発明の詳細な説明】
【技術分野】
【０００１】
本発明は、積層剥離容器に関する。
【背景技術】
【０００２】
醤油等の食品調味料、飲料、化粧料、シャンプー、リンス、液体石鹸などを内容液として収納する容器として、例えば外プリフォームの内側に内プリフォームを組み込んだプリフォーム組立体をブロー成形することにより、筒状の外口部と外口部に連なる有底筒状の胴部とを備えた外層体と、外口部の内側に配置された筒状の内口部と胴部の内面に剥離可能に積層された減容変形自在の収容部とを備えた内層体と、を有する二重構造に形成された合成樹脂製の積層剥離容器（デラミネーション容器）が知られている（例えば、特許文献１参照）。
【０００３】
このような積層剥離容器は、例えば逆止弁を備えた注出キャップと組み合わされた、スクイズ式の注出容器として使用され、外層体の胴部をスクイズ（圧搾）することで内容液を外部に注出することができる。一方、内容液の注出後には、外気導入口から外層体と内層体との間に外気が導入されることにより、外層体を元の形状に復元させて内層体の収容部のみを減容変形させることができる。したがって、積層剥離容器によれば、内層体の収容部に収容されている内容液を外気と置換することなく外部に注出させて、内層体の内部に収容されている内容液への外気の接触を減らし、当該内容液の劣化や変質等を抑制することができる。
【先行技術文献】
【特許文献】
【０００４】
【特許文献１】特開２０１８−２２７５号公報
【発明の概要】
【発明が解決しようとする課題】
【０００５】
ところで、このような積層剥離容器においては、内容液のスムーズな注出を可能にするために、スクイズ後の胴部の良好な復元性を確保する必要がある。このような復元性は、例えば、胴部を、軸方向中間部に向けて徐々に縮径する括れ部を有する円筒状に形成することによって得ることができる。しかし、括れ部の縮径幅を大きくすればするほど、復元性は向上するものの容器の容量が低減する等の不都合も生じることになる。そこで、括れ部には僅かな縮径幅のみを与えるとともに、当該括れ部に、剛性を高めるための多数の縦リブを全周に亘って設けることが考えられる。
【０００６】
特許文献１には、このような多数の縦リブを設けた括れ部であって、括れ部の横断面形状が、凸状の円弧形状をなすＲ部が全周に亘って連なることで形成されたものが記載されている。しかし、このような構成の多数の縦リブを設ける場合には、例えば括れ部に設定する縮径幅が僅かな場合等において、スクイズの際に縦リブに沿って縦に折れ目が発生する場合があるなど、復元性に問題があった。
【０００７】
本発明は、このような点に鑑み、縦の折れ目を生じ難く、復元性を向上できる積層剥離容器を提供することを目的とする。
【課題を解決するための手段】
【０００８】
本発明の積層剥離容器は、ブロー成形によって形成された合成樹脂製の積層剥離容器であって、筒状の外口部と前記外口部に連なる有底筒状の胴部とを有する外層体と、前記外口部の内側に配置された筒状の内口部と前記胴部の内面に剥離可能に積層された減容変形自在の収容部とを有する内層体と、前記外層体と前記内層体との間に外気を導入するための外気導入口と、を備え、前記胴部は、全周に亘って交互に配置された凸リブ及び凹リブによって形成された略円筒状の胴本体部を有し、前記胴本体部の外周面は、横断面において、前記凸リブの外面で形成される１ｍｍ〜６ｍｍの曲率半径を有する円弧形状をなすＲ部と、前記凹リブの外面で形成される１ｍｍ〜６ｍｍの曲率半径を有する円弧形状をなす逆Ｒ部と、が全周に亘って交互に滑らかに連なることで形成されており、前記胴本体部の外周面の直径は、５０ｍｍ〜８０ｍｍである。
【０００９】
本発明の積層剥離容器は、上記構成において、前記Ｒ部の曲率半径と前記逆Ｒ部の曲率半径とは、互いに略同一であるのが好ましい。
【００１０】
本発明の積層剥離容器は、上記構成において、前記凸リブ及び前記凹リブは、それぞれ、前記胴本体部の軸方向と平行に延在しているのが好ましい。
【００１１】
本発明の積層剥離容器は、上記構成において、前記胴本体部は、前記胴本体部の軸方向中間部に向けて徐々に縮径する括れ部を有し、前記括れ部の縮径幅は、２ｍｍ以下であるのが好ましい。
【００１２】
本発明の積層剥離容器は、上記構成において、前記外気導入口は、前記外口部と前記内口部とによって構成された口部に設けられているのが好ましい。
【００１３】
本発明の積層剥離容器は、上記構成において、前記外気導入口は、前記外口部を径方向に貫通する貫通孔であるのが好ましい。
【００１４】
本発明の積層剥離容器は、上記構成において、前記胴部は、前記外口部に連なるとともに下方に向けて徐々に拡径する肩部と、前記肩部の下方に連なる前記胴本体部と、前記胴本体部の下方に連なるとともに接地部を有する底部と、を有するのが好ましい。
【００１５】
本発明の積層剥離容器は、上記構成において、外プリフォームと前記外プリフォームの内側に組み込まれた内プリフォームとを有するプリフォーム組立体をブロー成形して形成されたのが好ましい。
【００１６】
本発明の積層剥離容器は、上記構成において、前記外層体及び前記内層体が、それぞれポリエチレンテレフタレート樹脂で形成されているのが好ましい。
【発明の効果】
【００１７】
本発明によれば、縦の折れ目を生じ難く、復元性を向上できる積層剥離容器を提供することができる。
【図面の簡単な説明】
【００１８】
【図１】本発明の一実施形態に係る積層剥離容器を示す一部断面側面図である。
【図２】図１に示す積層剥離容器を示す上面図である。
【図３】図１に示す積層剥離容器の口部を示す縦断面図である。
【図４】図１のＡ−Ａ断面図である。
【図５】図４の一部拡大図である。
【図６】図１の一部拡大図である。
【発明を実施するための形態】
【００１９】
以下、図面を参照して、本発明の一実施形態に係る積層剥離容器について詳細に例示説明する。
【００２０】
本発明の一実施形態に係る積層剥離容器１は、図１に示すように、デラミネーション容器（デラミ容器）とも呼ばれる合成樹脂製のものであり、外層体１０と内層体２０とを有する二重構造となっている。本実施形態に係る積層剥離容器１は、醤油等の食品調味料などを内容液として収容するスクイズ式の注出容器として用いられる。しかし、内容液は、食品調味料に限定されず、例えば、飲料、化粧料、シャンプー、リンス、液体石鹸などであってもよい。
【００２１】
なお、本明細書、特許請求の範囲及び図面においては、上下方向は、図１に示すように積層剥離容器１を正立姿勢とした状態における上下方向を意味するものとする。
【００２２】
外層体１０は積層剥離容器１の外殻を構成する部分であり、外口部１１と、外口部１１の下端に一体に連なる有底筒状の胴部１２とを備えたボトル形状となっている。
【００２３】
図１、図２に示すように、外口部１１は円筒状であり、その外周面には雄ねじ１１ａが一体に設けられている。外口部１１には、雄ねじ１１ａにねじ結合させて注出口を有する注出キャップ（不図示）を装着することができる。
【００２４】
なお、外口部１１は、雄ねじ１１ａに替えて円環状の突起を備え、注出キャップが打栓によって当該突起にアンダーカット状に係合して装着される構成とすることもできる。この場合、外口部１１は、円筒状に限らず、筒状であれば、例えば角筒状や楕円筒状であってもよい。
【００２５】
外口部１１には一対の外気導入口１３が設けられている。一対の外気導入口１３は、それぞれ外口部１１を径方向に貫通するとともに周方向に延びる長孔形状の貫通孔となっており、外口部１１の軸心Ｏを挟んだ両側に互いに対称に配置されている。一対の外気導入口１３は、それぞれ外層体１０と内層体２０との間に連通しており、これらの外気導入口１３を通して外層体１０と内層体２０との間に外気を導入することができる。
【００２６】
外口部１１の外気導入口１３よりも下方側にはネックリング１４が一体に設けられている。ネックリング１４は外口部１１の全周に亘って円環状に延びており、外口部１１の外周面から径方向外側に向けて突出している。
【００２７】
胴部１２は、肩部１２ａ、胴本体部１２ｂ、胴下部１２ｃ及び底部１２ｄを有している。本実施形態では、外口部１１、肩部１２ａ、胴下部１２ｃ及び底部１２ｄは、胴本体部１２ｂの軸心Ｏと同心に形成されている。
【００２８】
肩部１２ａは外口部１１の下端に一体に連なり、下方に向けて徐々に拡径して外口部１１に対して径方向外側に向けて張り出している。胴本体部１２ｂは、全周に亘って交互に配置された凸リブ３０及び凹リブ３１によって形成された略円筒状に形成されており、軸方向中間部に向けて徐々に縮径する括れ部３２を有している。なお、図１においては、便宜上、１つの凸リブ３０及び凹リブ３１にのみ符号を付している。胴本体部１２ｂの上端は、肩部１２ａの下端に一体に連なっている。胴下部１２ｃは、胴本体部１２ｂの下端に一体に連なり、２本の円環状の横リブ１５を有する円筒状に形成されている。底部１２ｄは、胴下部１２ｃの下端に一体に連なるとともに接地部１６を有している。積層剥離容器１は、接地部１６を接地させることで、正立姿勢をとることができる。底部１２ｄは、本実施形態では、胴下部１２ｃの下端を閉塞している。底部１２ｄは、円環状の外周縁の内側が凹んだ形状となっている。
【００２９】
胴本体部１２ｂは可撓性を有しており、スクイズ（圧搾）されることで弾性変形して径方向内側に向けて凹むことができるとともに、当該弾性力によって凹んだ状態から元の形状に自力で復元することができる。胴本体部１２ｂをスクイズにより弾性変形可能な構成としたことにより、積層剥離容器１をスクイズ式の注出容器として用いる際に、内容液の注出操作を容易に行い得るようにすることができるとともに、内容液の注出後に胴本体部１２ｂが元の形状に容易に復元することで、外層体１０と内層体２０との間に外気導入口１３を通して外気が確実に導入されるようにして、積層剥離容器１としての機能を確実に発揮させることができる。
【００３０】
この復元性を良好なものとするために、本実施形態では、胴本体部１２ｂを凸リブ３０及び凹リブ３１によって形成するとともに、胴本体部１２ｂに括れ部３２を設けている。凸リブ３０及び凹リブ３１は、実質的に、胴本体部１２ｂの全長に亘って延在している。図４、図５に示すように、胴本体部１２ｂの外周面は、横断面（胴本体部１２ｂの軸心Ｏと垂直な断面）において、凸リブ３０の外面で形成される円弧形状をなすＲ部３０ａと、凹リブ３１の外面で形成される円弧形状をなす逆Ｒ部３１ａと、が全周に亘って交互に滑らかに連なることで形成されている。なお、図４、図５においては、便宜上、１つのＲ部３０ａ及び逆Ｒ部３１ａにのみ符号を付している。ここで、良好な復元性を得るためには、Ｒ部３０ａの曲率半径Ｒ１と逆Ｒ部３１ａの曲率半径Ｒ２とは、それぞれ、１ｍｍ〜６ｍｍに設定する必要がある。また、曲率半径Ｒ１と曲率半径Ｒ２とのいずれかが１ｍｍより小さいと、スクイズ時に胴部において縦の折れ目が発生し易くなる。また、胴本体部１２ｂの外周面の直径（すなわち、最大幅）は、５０ｍｍ〜８０ｍｍに設定する必要がある。このように横断面形状を所定の寸法のＲ部３０ａと逆Ｒ部３１ａとで構成することにより、スクイズした時に、Ｒ部３０ａと逆Ｒ部３１ａとが各々反発して元に戻ろうとする力が働くため、良好な復元性を得ることができる。また、凸リブ３０と凹リブ３１とを所定の曲率半径の円弧で滑らかに繋いだ形状とすることにより、スクイズ時に胴部において縦の折れ目を生じ難くすることができる。
【００３１】
ここで、Ｒ部３０ａと逆Ｒ部３１ａとの反発力をバランスさせるために、曲率半径Ｒ１と曲率半径Ｒ２とは略同一（すなわち、できるだけ同じ大きさ）であることが好ましい。直線に沿ってＲ部３０ａと逆Ｒ部３１ａとを滑らかに連ねるのであれば曲率半径Ｒ１と曲率半径Ｒ２とを互いに同一に設定することは可能である。しかし、実際には円弧（胴本体部１２ｂの周方向）に沿ってＲ部３０ａと逆Ｒ部３１ａとを滑らかに連ねる必要があるため、曲率半径Ｒ１と曲率半径Ｒ２とを同一にすることはできない。例えば、胴本体部１２ｂの直径が６２．４ｍｍである場合には、曲率半径Ｒ１は２．１ｍｍとなり、曲率半径Ｒ２は２．３ｍｍとなる。また、凸リブ３０及び凹リブ３１は、本実施形態の場合のように、それぞれ、胴本体部１２ｂの軸方向と平行に延在していることが良好な復元性を得る上で好ましい。
【００３２】
また、括れ部３２の縮径幅Ｗは、２ｍｍ以下（すなわち片側１ｍｍ以下）とするのが好ましい。図６には、縮径幅Ｗの片側分の幅（Ｗの１／２）を示している。本明細書、特許請求の範囲及び図面において、縮径幅Ｗとは、縮径量が最大となる軸方向位置での横断面における、括れ部３２を設けなかった場合（ストレートの円筒状とした場合）の胴本体部１２ｂの直径から、括れ部３２の直径を差し引いた長さを意味するものとする。縮径幅Ｗが２ｍｍを越えると、括れ部３２を設けることによる復元性の向上により、凸リブ３０及び凹リブ３１の必要性がなくなるからである。なお、胴本体部１２ｂは、括れ部３２を設けないストレート形状に形成してもよい。
【００３３】
図１、図２に示すように、肩部１２ａには、上下方向に延びる複数（１８本）の凹状の肩リブ１７が周方向の全周に亘って等間隔に並べて設けられている。なお、図１、図２においては、便宜上、１つの肩リブ１７にのみ符号を付している。肩部１２ａに複数の肩リブ１７を設けることで、肩部１２ａの部分において内層体２０を外層体１０から剥離し易くすることができる。なお、肩リブ１７を設けない構成とすることもできる。
【００３４】
内層体２０は内口部２１と収容部２２とを有している。
【００３５】
図３に示すように、内口部２１は外口部１１よりも小径の円筒状となっており、外口部１１の内側に当該外口部１１と同心に配置されている。外口部１１の内周面と内口部２１の外周面との間には所定の間隔の隙間２３が設けられている。内口部２１の上端には拡径部２４が一体に連ねて設けられており、拡径部２４の外周面が外口部１１の内周面に全周に亘って当接することで、外口部１１と内口部２１との間の隙間２３は、外口部１１ないし内口部２１の上端部分において外部に対して閉塞されている。拡径部２４の上端には径方向外側に向けて延びるフランジ部２５が一体に設けられ、フランジ部２５が外口部１１の上端に当接することで内口部２１は外口部１１に対して軸方向に位置決めされている。
【００３６】
なお、内口部２１は、円筒状に限らず、筒状であればよく、例えば外口部１１が角筒状や楕円筒状に形成された場合には、同様に、角筒状や楕円筒状に形成することができる。
【００３７】
本実施形態では、内口部２１、拡径部２４及びフランジ部２５と、外口部１１と、によって積層剥離容器１の口部４０が構成されている。
【００３８】
図１に示すように、収容部２２は胴部１２よりも薄肉の袋状に形成され、内口部２１の下端に一体に連なるとともに胴部１２の内面に剥離可能に積層されている。収容部２２の内部は内容液の収容空間Ｓとなっており、内口部２１を通して収容部２２に内容液を充填することができるとともに内口部２１を通して収容部２２に収容されている内容液を外部に注出することができる。収容部２２は、内容液の注出に伴い、胴部１２の内面から剥離しつつ減容変形（内容積を減少させるように変形）することができる。胴部１２のスクイズによる内容液の注出の後、外気導入口１３から外層体１０と内層体２０との間に外気が導入されることで、収容部２２が減容変形を維持しつつ、胴部１２の内面から容易に剥離し、胴本体部１２ｂを元の形状に復元させることができる。
【００３９】
図３に示すように、外気導入口１３から胴部１２と収容部２２との間に向けた外気の気道を確保するために、内層体２０の外面には、縦リブ２６が一体に設けられている。詳細は図示しないが、本実施形態に係る積層剥離容器１において、内層体２０の外面には、一方の外気導入口１３を中心とした周方向の所定の範囲に３本の縦リブ２６が周方向に間隔を空けて並べて設けられるとともに、他方の外気導入口１３を中心とした周方向の所定の範囲に３本の縦リブ２６が周方向に間隔を空けて並べて設けられている。それぞれの外気導入口１３には、これらの縦リブ２６の少なくも１本が対向している。それぞれの縦リブ２６は、内層体２０の外面から径方向外側に向けて突出するとともに内口部２１から収容部２２に跨って軸心Ｏに沿う方向に延び、外層体１０と内層体２０の間に、外気導入口１３からネックリング１４を超えて肩部１２ａと収容部２２との間の部分にまで達する外気の通気路を形成している。これにより、外気導入口１３から導入した外気の通気路を、確実に肩部１２ａと収容部２２との間にまで導入することができる。
【００４０】
なお、縦リブ２６は外口部１１の内周面に設けるようにしてもよい。さらに、外口部１１と内口部２１の何れにも縦リブ２６を設けない構成とすることもできる。
【００４１】
外層体１０及び内層体２０は、何れも、ポリエチレンテレフタレート樹脂（ＰＥＴ）製となっている。外層体１０及び内層体２０を、それぞれポリエチレンテレフタレート樹脂製とすることで、積層剥離容器１を軽量で透明性の高い容器とすることができる。
【００４２】
上記構成の積層剥離容器１は、例えば、合成樹脂製のプリフォーム組立体をブロー成形して形成することができる。ブロー成形としては、例えば二軸延伸ブロー成形を採用することができる。図示は省略するが、プリフォーム組立体は、外層体１０を形成するための合成樹脂製の外プリフォームの内側に、内層体２０を形成するための合成樹脂製の内プリフォームを組み込んだ二重構造とすることができる。外プリフォームは、外層体１０と同一の合成樹脂材料を、金型を用いて射出成形することにより外層体１０に対応した所定形状に形成することができる。内プリフォームは、内層体２０と同一の合成樹脂材料を、金型を用いて射出成形することにより内層体２０に対応した所定形状に形成することができる。
【００４３】
このような構成を有する本実施形態の積層剥離容器１は、外口部１１に注出キャップを装着することでスクイズ容器に構成することができる。この場合、注出キャップとしては、例えば、外気導入口１３への外気の導入を許容するとともに外気導入口１３から外部に向けた外気の流出を阻止する外気用逆止弁と、内口部２１を通した内容液の外部への注出を許容するとともに収容部２２の内部への外気の逆流を阻止する内容液用逆止弁とを備えた構成のものを用いることができる。
【００４４】
スクイズ容器に構成された積層剥離容器１では、外層体１０の胴本体部１２ｂがスクイズ（圧搾）されると、収容部２２が減容変形し、内容液が注出キャップから押し出されて外部に注出される。内容液が注出された後、胴本体部１２ｂのスクイズが解除されると、胴本体部１２ｂが元の形状に復元しようとするが、このとき、外気導入口１３から外層体１０と内層体２０との間に外気が導入されつつ内層体２０の収容部２２が胴部１２の内面から剥離することで、収容部２２が減容変形したまま胴本体部１２ｂのみが元の形状に復元する。これにより、収容部２２に収容された内容液を外気と置換させることなく注出させて、収容部２２に収容された内容液への外気の接触を減らし、その劣化や変質を抑制することができる。
【００４５】
ここで、本実施形態に係る積層剥離容器１では、前述したように胴本体部１２ｂを所定の構造及び寸法の凸リブ３０及び凹リブ３１によって形成しているので、胴部１２の良好な復元性を確保することができる。特に、本実施形態に係る積層剥離容器１のように、胴部１２が、肩部１２ａ、胴本体部１２ｂ、胴下部１２ｃ及び底部１２ｄを備えたボトル形状に形成され、外気導入口１３が外口部１１を貫通する貫通孔であるものでは、内容液の注出時に収容部２２に収容された内容液が自重によって押し付けられる肩部１２ａの部分において気道が細くなって外気導入口１３から胴本体部１２ｂに外気が供給され難いため、胴部１２の復元性を確保して積層剥離容器１としての機能を発揮するためには胴本体部１２ｂの剛性を確保することが重要になる。本実施形態に係る積層剥離容器１によれば、胴本体部１２ｂの剛性の向上により、肩部１２ａの部分における外気のスムーズな供給を可能にし、胴部１２の良好な復元性を確保することができる。
【００４６】
前述した本実施形態は、本発明の実施形態の一例にすぎず、発明の要旨を逸脱しない範囲で種々変更可能であることはいうまでもない。
【００４７】
例えば、前記の実施形態では、胴部１２は、肩部１２ａ、胴本体部１２ｂ、胴下部１２ｃ及び底部１２ｄを有しているが、胴下部１２ｃを設けずに、胴本体部１２ｂに下端に底部１２ｄを連ねた構成としてもよい。また、肩部１２ａ及び胴下部１２ｃ等の形状は適宜変更が可能である。さらに、外口部１１はネックリング１４を備えない構成としてもよい。
【００４８】
また、前記の実施形態では、外口部１１に一対の外気導入口１３を設けているが、外気導入口１３は少なくとも１つ設けられていればよい。さらに、外気導入口１３は、外口部１１に設けられて外口部１１を貫通する貫通孔とされているが、これに限らず、例えば、外口部１１の上端と内口部２１の上端との間に設けられて外部に開口する隙間として構成してもよい。すなわち、外気導入口１３は、外口部１１と内口部２１とで構成される口部４０に設けられてもよい。あるいは、外気導入口１３を、肩部１２ａ、胴下部１２ｃないし底部１２ｄに設けた構成とすることもできる。
【００４９】
さらに、外層体１０の材質としては、ポリエチレンテレフタレート樹脂に限らず、例えばポリエステル樹脂、ポリオレフィン樹脂、ナイロン樹脂、ポリカーボネート樹脂（ＰＣ樹脂）、シクロオレフィンコポリマー樹脂（ＣＯＣ樹脂）、シクロオレフィンポリマー樹脂（ＣＯＰ樹脂）などの他の合成樹脂材料を採用することもできる。
【００５０】
さらに、内層体２０の材質としても、ポリエチレンテレフタレート樹脂に限らず、例えばポリエステル樹脂、ポリオレフィン樹脂、ナイロン樹脂、ポリカーボネート樹脂（ＰＣ樹脂）、シクロオレフィンコポリマー樹脂（ＣＯＣ樹脂）、シクロオレフィンポリマー樹脂（ＣＯＰ樹脂）、エチレン−ビニルアルコール共重合体樹脂（ＥＶＯＨ樹脂）などの他の合成樹脂材料を採用することもできる。内層体２０の材質としてエチレン−ビニルアルコール共重合体樹脂を用いる場合には、バリア性及び柔軟性を考慮して、適切なエチレン含有率のものを採用することができる。また、内層体２０は、バリア性を確保するために、例えば一対のポリエチレンテレフタレート樹脂層の間にＭＸナイロン樹脂層などのバリア層を設けた多層構造とすることもできる。
【００５１】
前記の実施形態では、プリフォーム組立体からのブロー成形を採用しているが、例えば、ＥＢＭ成形（Ｅｘｔｒｕｓｉｏｎ  Ｂｌｏｗ  Ｍｏｕｌｄｉｎｇ／押出ブロー成形法）等の他のブロー成形法を用いてもよい。
【符号の説明】
【００５２】
１  積層剥離容器
１０  外層体
１１  外口部
１１ａ  雄ねじ
１２  胴部
１２ａ  肩部
１２ｂ  胴本体部
１２ｃ  胴下部
１２ｄ  底部
１３  外気導入口
１４  ネックリング
１５  横リブ
１６  接地部
１７  肩リブ
２０  内層体
２１  内口部
２２  収容部
２３  隙間
２４  拡径部
２５  フランジ部
２６  縦リブ
３０  凸リブ
３０ａ  Ｒ部
３１  凹リブ
３１ａ  逆Ｒ部
３２  括れ部
４０  口部
Ｏ  軸心
Ｒ１、Ｒ２  曲率半径
Ｗ  縮径幅
Ｓ  収容空間
【図１】
2019177926.tif 000003
【図２】
2019177926.tif 000004
【図３】
2019177926.tif 000005
【図４】
2019177926.tif 000006
【図５】
2019177926.tif 000007
【図６】
2019177926.tif 000008